(57)【要約】【課題】キッチンカウンタの下方に設置された状態において、洗浄槽が収納位置に収納されたときの外観の美観を向上し得る食器洗浄機を提供する。【解決手段】洗浄槽挿脱用開口が前部に形成された本体ケーシング１と、本体ケーシング１の内部の洗浄運転用の収納位置と本体ケーシング１の前方に引き出された引出位置とにわたって洗浄槽挿脱用開口を通して出退移動自在な状態で、本体ケーシング１に支持された洗浄槽２とを備え、洗浄槽２が収納位置に位置する状態において洗浄槽挿脱用開口を閉じる扉体が、洗浄槽２の前部に装着された食器洗浄機であって、洗浄槽２が収納位置に向けて移動するのに伴って、本体ケーシング１に対する洗浄槽２の前端部の洗浄槽横幅方向及び洗浄槽上下幅方向での位置を設定適正位置に位置決め作用する洗浄槽位置決め機構Ｈが設けられている。【選択図】図９
2014158568.tif 000002
【特許請求の範囲】
【請求項１】
洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、
前記洗浄槽が前記収納位置に位置する状態において前記洗浄槽挿脱用開口を閉じる扉体が、前記洗浄槽の前部に装着された食器洗浄機であって、
前記洗浄槽が前記収納位置に向けて移動するのに伴って、前記本体ケーシングに対する前記洗浄槽の前端部の洗浄槽横幅方向及び洗浄槽上下幅方向での位置を設定適正位置に位置決め作用する洗浄槽位置決め機構が設けられている食器洗浄機。
【請求項２】
前記扉体が、前記洗浄槽の前部の上下幅方向の全体及び横幅方向の全体を覆うように構成され、
前記洗浄槽の前部に対する前記扉体の装着位置を、前記洗浄槽横幅方向及び前記洗浄槽上下幅方向において調節可能な扉体装着位置調節機構が設けられている請求項１に記載の食器洗浄機。
【請求項３】
前記洗浄槽位置決め機構が、前記本体ケーシングに対する前記洗浄槽の前端部の前記洗浄槽横幅方向及び前記洗浄槽上下幅方向での位置を前記設定適正位置に位置決め作用する位置決め作用部を、前記洗浄槽挿脱用開口における前記洗浄槽横幅方向の両端部夫々に備えて構成されている請求項１又は２に記載の食器洗浄機。
【請求項４】
前記洗浄槽位置決め機構が、前記位置決め作用部を、前記洗浄槽挿脱用開口における前記洗浄槽横幅方向の両端部夫々において、前記洗浄槽上下幅方向に複数備えて構成されている請求項３に記載の食器洗浄機。
【請求項５】
前記位置決め作用部が、前記洗浄槽挿脱用開口の開口縁部及び前記洗浄槽の前端部のうちの一方に、前記洗浄槽挿脱用開口の内外方向に突出する形態で設けられた凸部と、前記洗浄槽が前記収納位置に近づくのに伴って前記凸部が入り込むように、前記洗浄槽挿脱用開口の開口縁部及び前記洗浄槽の前端部のうちの他方に、前記洗浄槽挿脱用開口の内外方向及び前記本体ケーシングの前後方向に引っ込む形態で設けられた凹部とを備えて構成されている請求項３又は４に記載の食器洗浄機。
【請求項６】
前記洗浄槽が前記収納位置側に移動する際に、前記扉体の厚さに相当する距離よりも長い距離だけ前記収納位置の手前の位置に達するのに伴って、前記凸部が前記凹部に入り込むように構成されている請求項５に記載の食器洗浄機。
【請求項７】
前記本体ケーシングに、前記洗浄槽挿脱用開口の開口縁部を形成する開口縁部材が設けられ、
前記洗浄槽位置決め機構を構成する部材のうち、前記本体ケーシング側に設けられる部材が、前記開口縁部材に設けられている請求項１〜６のいずれか１項に記載の食器洗浄機。
【発明の詳細な説明】
【技術分野】
【０００１】
本発明は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、前記洗浄槽が前記収納位置に位置する状態において前記洗浄槽挿脱用開口を閉じる扉体が、前記洗浄槽の前部に装着された食器洗浄機に関する。
【背景技術】
【０００２】
かかる食器洗浄機は、通常、キッチンカウンタの下方に、引出し式の収納部等の複数の収納部と並ぶ状態で設置されて、皿や茶碗等の食器類を洗浄するのに使用されることになる。
つまり、洗浄槽を本体ケーシングから引き出した引出位置に位置させて、皿や茶碗等の食器類を洗浄槽の内部に収容し、その後、洗浄槽を本体ケーシングの内部の収納位置に位置させて、洗浄運転を行い、洗浄運転が終了した後においては、洗浄槽を引出位置に位置させて、皿や茶碗等の食器類を洗浄槽から取出すことになる。
【０００３】
そして、洗浄槽が収納位置に位置する状態において洗浄槽挿脱用開口を閉じる扉体が、洗浄槽の前部に装着されている。この扉体の表面は、通常、キッチンカウンタの下方に配置される複数の収納部や固定パネル等の設置体の表面と、同一の色調で、同一の図柄となるように構成されて、色合い面において外観を美麗な状態にするように意図されている。（例えば、特許文献１、２参照。）。
【０００４】
ちなみに、特許文献１においては、扉体は、洗浄槽の前部の上下幅方向の全体及び横幅方向の全体を覆うように構成されている。また、特許文献２においては、洗浄槽の前部の上方側部分に操作パネルが設けられ、扉体は、洗浄槽の前部における操作パネルの下方側部分を覆うように構成されている。
【先行技術文献】
【特許文献】
【０００５】
【特許文献１】特開２００７−９７８０４号公報
【特許文献２】特開２００５−２５３８２２号公報
【発明の概要】
【発明が解決しようとする課題】
【０００６】
ところで、洗浄槽は、スライド式レール機構等の移動機構を用いて、収納位置と引出位置とにわたって移動自在に本体ケーシングに支持される。
しかしながら、このような移動機構は、金属材料等の構成材料の弾性変形が避けられず、また、洗浄槽は樹脂成型にて形成されていることが多く、その場合、洗浄槽の弾性変形も避けられないので、それら弾性変形に起因して、収納位置に収納された状態での洗浄槽の位置が定位置に定まり難い。
例えば、施工現場で食器洗浄機をキッチンカウンタに設置する際に、移動機構や本体ケーシング等の弾性変形により、収納位置に収納された状態での洗浄槽の前端部の位置が、洗浄槽横幅方向及び洗浄槽上下幅方向において所定の設定位置からずれる場合がある。
あるいは、使用者が食器洗浄機を使用している間においても、洗浄槽を収納位置に収納する毎に、洗浄槽の前端部の洗浄槽横幅方向及び洗浄槽上下幅方向での位置が変動したり、食器洗浄機の使用回数を重ねるのに伴って、収納位置に収納された洗浄槽の前端部の洗浄槽横幅方向及び洗浄槽上下幅方向での位置が、初期の位置から変動する場合もある。
【０００７】
そして、洗浄槽が収納位置に収納された状態において、洗浄槽の前端部の洗浄槽横幅方向及び洗浄槽上下幅方向での位置が所定の設定位置からずれると、食器洗浄機の扉体の表面の端縁と食器洗浄機に隣接する設置体の表面の端縁とが平行にならなかったり、食器洗浄機の扉体の表面の端縁と食器洗浄機の左右や下方に隣接する設置体夫々の表面の端縁との間隔が均等にならなかったりして、食器洗浄機の扉体とそれに隣接する設置体との配置関係が適正な配置関係にならない虞がある。
従って、従来の食器洗浄機では、洗浄槽が収納位置に収納された状態において、外観の美観が損なわれる虞があるという問題があった。
【０００８】
本発明は、かかる実情に鑑みてなされたものであり、その目的は、キッチンカウンタの下方に設置された状態において、洗浄槽が収納位置に収納されたときの外観の美観を向上し得る食器洗浄機を提供することにある。
【課題を解決するための手段】
【０００９】
本発明に係る食器洗浄機は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、
前記洗浄槽が前記収納位置に位置する状態において前記洗浄槽挿脱用開口を閉じる扉体が、前記洗浄槽の前部に装着されたものであって、その第１特徴構成は、
前記洗浄槽が前記収納位置に向けて移動するのに伴って、前記本体ケーシングに対する前記洗浄槽の前端部の洗浄槽横幅方向及び洗浄槽上下幅方向での位置を設定適正位置に位置決め作用する洗浄槽位置決め機構が設けられている点にある。
【００１０】
上記特徴構成によれば、洗浄槽が収納位置に向けて移動されるのに伴って、洗浄槽位置決め機構により、本体ケーシングに対する洗浄槽の前端部の洗浄槽横幅方向及び洗浄槽上下幅方向での位置が設定適正位置に位置決めされる。従って、移動機構や本体ケーシング等の弾性変形に拘わらず、洗浄槽が収納位置に位置する状態では、洗浄槽の前端部の洗浄槽横幅方向及び洗浄槽上下幅方向での位置が設定適正位置に位置決めされることになる。
そして、本体ケーシングに対する洗浄槽の前端部の洗浄槽横幅方向及び洗浄槽上下幅方向での位置が設定適正位置に位置決めされたときに、食器洗浄機の扉体とそれに隣接する設置体との配置関係を外観の美観を向上し得る適正な配置関係に近づけることが可能なように、扉体を洗浄槽の前部に装着可能に構成しておくと、洗浄槽が収納位置に収納された状態での外観の美観を向上することができる。つまり、食器洗浄機の扉体の表面の端縁と食器洗浄機に隣接する設置体の表面の端縁とが平行となると共に、食器洗浄機の扉体の表面の端縁と食器洗浄機の左右や下方に隣接する設置体夫々の表面の端縁との間隔が均等となる適正な配置関係に近づけるように、扉体を洗浄槽の前部に装着可能に構成しておく。
要するに、キッチンカウンタの下方に設置された状態において、洗浄槽が収納位置に収納されたときの外観の美観を向上し得る食器洗浄機を提供することができる。
【００１１】
第２特徴構成は、上記第１特徴構成に加えて、
前記扉体が、前記洗浄槽の前部の上下幅方向の全体及び横幅方向の全体を覆うように構成され、
前記洗浄槽の前部に対する前記扉体の装着位置を、前記洗浄槽横幅方向及び前記洗浄槽上下幅方向において調節可能な扉体装着位置調節機構が設けられている点にある。
【００１２】
上記特徴構成によれば、扉体が、洗浄槽の前部の上下幅方向の全体及び横幅方向の全体を覆うように構成されているので、洗浄槽の前面に操作パネル等、収納部や固定パネル等の設置体の表面と色調や図柄の異なる部分が露呈するのを回避して、システムキッチン全体として統一感のある外観とすることができる。
【００１３】
ところで、システムキッチン全体として統一感のある外観とするために、食器洗浄機の扉体の表面を、システムキッチンのキッチンカウンタの下方に配置される複数の収納部や固定パネル等の設置体の表面と、同一の色調で、同一の図柄となるように構成する場合においては、食器洗浄機を設置する施工現場において、洗浄槽に対して扉体を装着することになる。
すなわち、食器洗浄機の製造会社にて製造された食器洗浄機が、扉体を装着しない状態で食器洗浄機を設置する施工現場に搬送され、システムキッチンの製造会社等によって製作された扉体が、別途、食器洗浄機を設置する施工現場に搬送されることになり、施工現場において、洗浄槽に対して扉体を装着することになる。
つまり、システムキッチンの購入者が、キッチンカウンタの下方に配置される複数の収納部や固定パネル等の設置体の表面の色調や図柄を選ぶと、システムキッチンの製造会社等によって、設置体の表面の色調や図柄と同一となる表面を備える扉体が施工現場に用意されることになり、施工者が、施工現場において、洗浄槽に対して扉体を装着することになる。
【００１４】
そして、洗浄槽に対して扉体を装着する際は、洗浄槽を収納位置に収納して、その洗浄槽が洗浄槽位置決め機構により位置決めされた状態で、食器洗浄機の扉体とそれに隣接する設置体との配置関係が外観の美観を向上し得る適正な配置関係となるように、扉体装着位置調節機構により、洗浄槽の前部に対する扉体の装着位置を洗浄槽横幅方向及び洗浄槽上下幅方向において調節することになる。
すなわち、食器洗浄機の扉体の表面の端縁と食器洗浄機に隣接する設置体の表面の端縁とが平行となると共に、食器洗浄機の扉体の表面の端縁と食器洗浄機の左右や下方に隣接する設置体夫々の表面の端縁との間隔が均等となるように、洗浄槽の前部に対する扉体の装着位置を洗浄槽横幅方向及び洗浄槽上下幅方向において調節することになる。
従って、食器洗浄機がキッチンカウンタの下方に設置された状態において、洗浄槽が収納位置に収納されたときにシステムキッチン全体として統一感のある外観としながら、その外観を一層向上することができる。
【００１５】
第３特徴構成は、上記第１又は第２特徴構成に加えて、
前記洗浄槽位置決め機構が、前記本体ケーシングに対する前記洗浄槽の前端部の前記洗浄槽横幅方向及び前記洗浄槽上下幅方向での位置を前記設定適正位置に位置決め作用する位置決め作用部を、前記洗浄槽挿脱用開口における前記洗浄槽横幅方向の両端部夫々に備えて構成されている点にある。
【００１６】
上記特徴構成によれば、洗浄槽位置決め機構により、洗浄槽挿脱用開口における洗浄槽横幅方向の両端部夫々において、本体ケーシングに対する洗浄槽の前端部の洗浄槽横幅方向及び洗浄槽上下幅方向での位置が設定適正位置に位置するように位置決めされるので、洗浄槽が収納位置に収納されたときに、洗浄槽横幅方向に沿う方向での洗浄槽の前端部の姿勢が適正な姿勢となる状態で、本体ケーシングに対する洗浄槽の前端部の洗浄槽横幅方向及び洗浄槽上下幅方向での位置が設定適正位置に位置決めされる。
このことにより、洗浄槽が収納位置に収納された状態において、食器洗浄機の扉体とそれに隣接する設置体との配置関係をより一層適正な配置関係に近づけることができる。つまり、食器洗浄機の扉体の表面の端縁と食器洗浄機に隣接する設置体の表面の端縁とが平行となると共に、食器洗浄機の扉体の表面の端縁と食器洗浄機の左右や下方に隣接する設置体夫々の表面の端縁との間隔が均等となり、加えて、洗浄槽横幅方向に沿う方向において、扉体の表面が隣接する設置体の表面と平行となる配置関係に、近づけることができる。
従って、上記第１又は第２特徴構成による作用効果に加えて、洗浄槽が収納位置に収納されたときの外観を更に向上することができる。
【００１７】
第４特徴構成は、上記第３特徴構成に加えて、
前記洗浄槽位置決め機構が、前記位置決め作用部を、前記洗浄槽挿脱用開口における前記洗浄槽横幅方向の両端部夫々において、前記洗浄槽上下幅方向に複数備えて構成されている点にある。
【００１８】
上記特徴構成によれば、洗浄槽位置決め機構により、洗浄槽挿脱用開口における洗浄槽横幅方向の両端部夫々において、洗浄槽上下幅方向の複数個所で、本体ケーシングに対する洗浄槽の前端部の洗浄槽横幅方向及び洗浄槽上下幅方向での位置が設定適正位置に位置するように位置決めされるので、洗浄槽が収納位置に収納されたときに、洗浄槽横幅方向に沿う方向及び洗浄槽上下幅方向に沿う方向での洗浄槽の前端部の姿勢が適正な姿勢となる状態で、本体ケーシングに対する洗浄槽の前端部の洗浄槽横幅方向及び洗浄槽上下幅方向での位置が設定適正位置に位置決めされる。
このことにより、洗浄槽が収納位置に収納された状態において、食器洗浄機の扉体とそれに隣接する設置体との配置関係を更に適正な配置関係に近づけることができる。つまり、食器洗浄機の扉体の表面の端縁と食器洗浄機に隣接する設置体の表面の端縁とが平行となると共に、食器洗浄機の扉体の表面の端縁と食器洗浄機の左右や下方に隣接する設置体夫々の表面の端縁との間隔が均等となり、加えて、扉体の表面が隣接する設置体の表面と平行となる配置関係に、近づけることができる。
従って、上記第３特徴構成による作用効果に加えて、洗浄槽が収納位置に収納されたときの外観を更に向上することができる。
【００１９】
第５特徴構成は、上記第３又は第４特徴構成に加えて、
前記位置決め作用部が、前記洗浄槽挿脱用開口の開口縁部及び前記洗浄槽の前端部のうちの一方に、前記洗浄槽挿脱用開口の内外方向に突出する形態で設けられた凸部と、前記洗浄槽が前記収納位置に近づくのに伴って前記凸部が入り込むように、前記洗浄槽挿脱用開口の開口縁部及び前記洗浄槽の前端部のうちの他方に、前記洗浄槽挿脱用開口の内外方向及び前記本体ケーシングの前後方向に引っ込む形態で設けられた凹部とを備えて構成されている点にある。
【００２０】
上記特徴構成によれば、洗浄槽が収納位置に近づくのに伴って、洗浄槽の前端部に設けられた凸部が、洗浄槽挿脱用開口の開口縁部に設けられた凹部に入り込んで、あるいは、洗浄槽の前端部に設けられた凹部に、洗浄槽挿脱用開口の開口縁部に設けられた凸部が入り込んで、本体ケーシングに対する洗浄槽の前端部の洗浄槽横幅方向及び洗浄槽上下幅方向での位置が設定適正位置に位置決めされる。
そして、洗浄槽挿脱用開口の開口縁部及び前記洗浄槽の前端部のうちの一方に上述の如き凸部を設けると共に、洗浄槽挿脱用開口の開口縁部及び洗浄槽の前端部のうちの他方に上述の如き凹部を設けるだけの簡単な改変で、食器洗浄機に洗浄槽位置決め機構を設けることができる。
従って、低廉化を図りながら、キッチンカウンタの下方に設置された状態において、洗浄槽が収納位置に収納されたときの外観の美観を向上し得る食器洗浄機を提供することができる。
【００２１】
第６特徴構成は、上記第５特徴構成に加えて、
前記洗浄槽が前記収納位置側に移動する際に、前記扉体の厚さに相当する距離よりも長い距離だけ前記収納位置の手前の位置に達するのに伴って、前記凸部が前記凹部に入り込むように構成されている点にある。
【００２２】
上記特徴構成によれば、洗浄槽を収納位置側に移動する際に、扉体の厚さに相当する距離よりも長い距離だけ収納位置の手前の位置で、凸部が凹部に入り込んで、本体ケーシングに対する洗浄槽の前端部の洗浄槽横幅方向及び洗浄槽上下幅方向での位置が設定適正位置に位置決めされる。
つまり、移動機構や本体ケーシング等の弾性変形が比較的大きい等により、洗浄槽が洗浄槽位置決め機構により位置決めされる位置よりも手前に位置しているときに、ケーシングに対するその洗浄槽の前端部の位置が設定適正位置から比較的大きくずれていても、洗浄槽が収納位置に移動されるときには、扉体の後端部の端縁部が食器洗浄機に隣接する設置体の表面の端縁部に達する前に、本体ケーシングに対する洗浄槽の前端部の洗浄槽横幅方向及び洗浄槽上下幅方向での位置が設定適正位置に位置決めされる。
従って、洗浄槽を収納位置側に移動する際に、扉体の後端部の端縁部が食器洗浄機に隣接する設置体の表面の端縁部に当たって、洗浄槽を収納位置に収納することができないといった不具合を確実に防止することができるので、食器洗浄機の使い勝手を一層向上することができる。
【００２３】
第７特徴構成は、上記第１〜第６特徴構成のいずれか１つに加えて、
前記本体ケーシングに、前記洗浄槽挿脱用開口の開口縁部を形成する開口縁部材が設けられ、
前記洗浄槽位置決め機構を構成する部材のうち、前記本体ケーシング側に設けられる部材が、前記開口縁部材に設けられている点にある。
【００２４】
上記特徴構成によれば、洗浄槽位置決め機構を構成する部材のうち、本体ケーシング側に設けられる部材が、本体ケーシングとは別体の開口縁部材に設けられているので、洗浄槽位置決め機構を設けるにしても、本体ケーシング側については、開口縁部材を改変するだけの簡単な改変で済む。
例えば、本体ケーシングや開口縁部材は、通常、樹脂成型により構成されるが、洗浄槽位置決め機構を構成する部材のうちの本体ケーシング側に設けられる部材を、本体ケーシングそのものに設ける場合は、本体ケーシング成型用の大型で複雑な構造の金型を可変する必要があるので、大がかりな改変となる。
これに対して、本特徴構成のように、洗浄槽位置決め機構を構成する部材のうちの本体ケーシング側に設けられる部材を、開口縁部材に設けるようにすると、開口縁部材成型用の比較的小型で簡素な構造の金型の改変で済むのである。
従って、上記第１〜第６特徴構成のいずれか１つによるよりも更に低廉化を図りながら、キッチンカウンタの下方に設置された状態において、洗浄槽が収納位置に収納されたときの外観の美観を向上し得る食器洗浄機を提供することができる。
【図面の簡単な説明】
【００２５】
【図１】食器洗浄機の斜視図
【図２】扉体の装着部の一部切欠側面図
【図３】洗浄槽の斜視図
【図４】洗浄槽の正面図
【図５】図４におけるＶ−Ｖ線矢視図
【図６】図２におけるＶＩ−ＶＩ線矢視図
【図７】固定受け金具の斜視図
【図８】洗浄槽側レール部材の斜視図
【図９】前カバーを装着した状態の洗浄槽が少し引き出された状態での食器洗浄機の斜視図
【図１０】扉体に係合体を装着した状態の斜視図
【図１１】係合体の正面図
【図１２】図１１におけるＸＩＩ−ＸＩＩ線矢視図
【図１３】係合体の下方側係合作用部を示す斜視図
【図１４】図１１におけるＸＩＶ−ＸＩＶ線矢視図
【図１５】上方側係合部分の側面図
【図１６】下方側係合部分の側面図
【図１７】前後位置調節用回転体の斜視図
【図１８】係合体と係合部との連結構成を示す斜視図
【図１９】本体ケーシングの前方側部分を示す斜視図
【図２０】洗浄槽の前方側部分を示す斜視図
【図２１】洗浄槽の凸部と本体ケーシングの凹部との係合状態を示す斜視縦断面図
【図２２】洗浄槽の凸部及び本体ケーシングの凹部を示す斜視図
【図２３】システムキッチンの斜視図
【図２４】食器洗浄機をキッチンカウンタに装備した状態の側面図
【図２５】別実施形態に係る洗浄槽の凸部と本体ケーシングの凹部との係合状態を示す斜視縦断面図
【発明を実施するための形態】
【００２６】
以下、図面に基づいて、本発明の実施の形態を説明する。
（食器洗浄機の構成）
図１に示すように、洗浄槽挿脱用開口Ａが前部に形成された直方体状の本体ケーシング１が設けられ、平面視形状が四角状でかつ上部が開口された洗浄槽２が、本体ケーシング１の内部の洗浄運転用の収納位置と本体ケーシング１の前方に引き出された引出位置とにわたって洗浄槽挿脱用開口Ａを通して出退移動自在な状態で、本体ケーシング１に支持されて、引出し式の食器洗浄機Ｓが構成されている。
【００２７】
すなわち、引出し式の食器洗浄機Ｓは、洗浄槽２を本体ケーシング１から引き出した引出し状態において、食器類等の洗浄対象物を洗浄槽２の内部に収納し、洗浄槽２を本体ケーシング１の収納位置に収納した収納状態において、洗浄運転を行うように構成されている。
【００２８】
尚、洗浄槽２の下方には、洗浄ポンプ等の機器類が、洗浄槽２に組付けられた状態で配設され、洗浄槽２の内部には、洗浄ノズルや加熱用ヒータ等が配設され、また、洗浄槽２の内部には、食器類等の洗浄対象物を収納する洗浄カゴが、取出し自在に収納されることになるが、それらの構成は周知であるので、本実施形態においては説明を省略する。
【００２９】
また、洗浄槽２を本体ケーシング１に収納した状態において洗浄槽２の上面部を閉塞する内蓋部が、洗浄槽２を本体ケーシング１から引き出した引出し状態では洗浄槽２の上面部を開口するように、洗浄槽２の引き出し及び収納に伴って自動的に開閉される形態で設けられることになるが、その構成は周知であるので、本実施形態においては説明を省略する。
【００３０】
図１及び図２に示すように、洗浄槽２の前部には、その洗浄槽２が収納位置に位置する状態において洗浄槽挿脱用開口Ａを閉じる扉体３が装着されている。また、図２及び図９に示すように、洗浄槽２と扉体３との間に位置されて、洗浄槽２の前部の上下幅方向の全体及び横幅方向の全体を覆う前カバーＭが、洗浄槽２の前部に装着される。
本実施形態の扉体３は、洗浄槽２の前部の上下幅方向の全体及び横幅方向の全体を覆うように構成され、扉体３の上部側箇所には、引出し操作用の把手部４が設けられている。
具体的には、扉体３は、その横幅が本体ケーシング１の横幅よりも少し大きく、且つ、その上下幅が本体ケーシング１の上下幅と同じ大きさとなるように構成されている。
【００３１】
図２３及び図２４に示すように、本実施形態の食器洗浄機Ｓは、システムキッチンＫのキッチンカウンタ８の下方に、引出し式の収納部や固定パネル等の設置体Ｄと並べる状態で設置されるものであって、扉体３の表面が、設置体Ｄの前面部の表面と、同一の色調で、同一の図柄となるように構成されている。
尚、図２４においては、食器洗浄機Ｓの下方に、設置体Ｄとして、引出し式の収納部が配置される場合を例示する。
【００３２】
そして、食器洗浄機Ｓの扉体３は、食器洗浄機ＳをシステムキッチンＫに設置する際に、その施工現場にて、洗浄槽２の前部に装着されるものである。そこで、食器洗浄機Ｓの洗浄槽２の前部には、上述のように前カバーＭが装着されて、洗浄槽２の前部に装備した機器類を覆うように構成されている。
さらに、本実施形態では、洗浄槽２の前部に対する扉体３の装着位置を、洗浄槽横幅方向及び洗浄槽上下幅方向において調節可能な扉体装着位置調節機構Ｐ（図１０及び図１８参照）が設けられている。
【００３３】
ちなみに、図２に示すように、洗浄槽２の前端部の上方箇所、つまり、扉体３の上部側部分の後方側箇所には、洗浄運転に関する種々の情報を指令する操作パネルＢが装備されており、洗浄槽２を引出し状態にして、操作パネルＢにて洗浄運転に関する情報を入力し、その後、洗浄槽２を収納状態することによって、運転制御部（図示せず）が、操作パネルＢにて入力された情報に基づいて、洗浄ポンプや加熱用ヒータ等を作動させて洗浄運転を実行するように構成されている。
【００３４】
尚、図示はしないが、洗浄槽２を収納状態にロックするロック装置や、洗浄槽２が収納状態であること検出する収納検出装置が装備されおり、上記運転制御部が、洗浄槽２が収納状態であることを確認しながら、洗浄運転を実行するように構成されている。
【００３５】
図１に示すように、洗浄槽２を本体ケーシング１に対して移動自在に支持する左右一対のスライド式レール機構Ｌが、洗浄槽２の底部の左右両端部に対応する箇所に設けられており、このスライド式レール機構Ｌを介して、洗浄槽２が収納位置と引出位置とにわたって移動自在な状態で本体ケーシング１に支持されている。ちなみに、引出位置においては、洗浄槽２の大部分を本体ケーシング１の外方に露出させる状態に引き出すことができるように構成されている。
【００３６】
つまり、図３〜図５及び図８に示すように、スライド式レール機構Ｌを構成する洗浄槽側レール部材６に、長尺状の洗浄槽接続部材７が装備され、この洗浄槽接続部材７に、洗浄槽２の底部の左右両端部が取付けられている。
尚、洗浄槽側レール部材６は、本体ケーシング１に設けた本体ケーシング側レール部材（図示せず）に対して、スライド自在に係合されることになる。
【００３７】
ちなみに、図３及び図４に示すように、洗浄槽２の左右は、それぞれ、側壁２Ｓにて覆われ、各側壁２Ｓの下端部には、スライド式レール機構Ｌを覆う下方張出部２ｄが延設され、また、図３及び図６に示すように、洗浄槽２の左右の側壁２Ｓの前端部には、洗浄槽２の前面部に設けた機器類を覆う前方張出部２ｆが延設されている。
尚、各側壁２Ｓは、下方張出部２ｄと前方張出部２ｆとを一連に連なる板状で備える形態に、樹脂成型（例えば、ＰＰ樹脂）にて形成されている。
【００３８】
（扉体の装着構成）
上述したように、食器洗浄機Ｓの扉体３は、食器洗浄機ＳをシステムキッチンＫに設置する際に、その施工現場にて、洗浄槽２の前部に装着されるものであり、以下、扉体３を洗浄槽２の前部に装着する構成について説明する。
【００３９】
図１０に示すように、扉体３の後面には、係合体Ｅが取付けられ、そして、洗浄槽２の前部には、図３〜図５に示すように、係合部Ｆが設けられている。
従って、扉体３の後面に取付けた係合体Ｅが、洗浄槽２の前部に設けた係合部Ｆに係合された状態で、扉体３が洗浄槽２の前部に装着されることになる。
【００４０】
係合体Ｅは、上方側の左右一対の係合作用部Ｅｕ、及び、下方側の左右一対の係合作用部Ｅｓを備えるように構成され、そして、係合部Ｆが、係合体Ｅに合わせて、上方側の左右一対の係合作用部Ｅｕの夫々が各別に係合する上方側の左右一対の係合部分Ｆｕ、及び、下方側の左右一対の係合作用部Ｅｓの夫々が各別に係合する下方側の左右一対の係合部分Ｆｓを備えるように構成されている。
【００４１】
つまり、図１８に示すように、上方側の左方の係合作用部Ｅｕと上方側の左方の係合部分Ｆｕとが係合する上方側左方連結部ＵＬ、上方側の右方の係合作用部Ｅｕと上方側の右方の係合部分Ｆｕとが係合する上方側右方連結部ＵＲ、下方側の左方の係合作用部Ｅｓと下方側の左方の係合部分Ｆｓとが係合する下方側左方連結部ＳＬ、及び、下方側の右方の係合作用部Ｅｓと下方側の右方の係合部分Ｆｓとが係合する下方側右方連結部ＳＲの夫々が設けられている。
【００４２】
そして、後述するように、上方側左方連結部ＵＬ、上方側右方連結部ＵＲ、下方側左方連結部ＳＬ及び下方側右方連結部ＳＲの夫々が、係合作用部Ｅｕ、Ｅｓと係合部分Ｆｕ、Ｆｓとを洗浄槽前後幅方向での相対移動を阻止した状態に係合させ、かつ、係合部分Ｆｕ、Ｆｓに対する係合作用部Ｅｕ、Ｅｓの洗浄槽前後幅方向での位置を変更調節自在に構成されている。
【００４３】
係合体Ｅについて説明を加えると、本実施形態においては、図１０に示すように、上方側の左方の係合作用部Ｅｕ及び下方側の左方の係合作用部Ｅｓを上下両端に備える金属製の左方側係合体形成体１０Ｌ、及び、上方側の右方の係合作用部Ｅｕ及び下方側の右方の係合作用部Ｅｓを上下両端に備える金属製の右方側係合体形成体１０Ｒが、扉体３の後面に設けられている。
【００４４】
そして、左方側係合体形成体１０Ｌを扉体３に取付ける左方取付け機構ＪＬ及び右方側係合体形成体１０Ｒを扉体３に取付ける右方取付け機構ＪＲの夫々が設けられて、左方側係合体形成体１０Ｌが、左方取付け機構ＪＬによって扉体３に取付けられ、右方側係合体形成体１０Ｒが、右方取付け機構ＪＲによって扉体３に取付けられている。
本実施形態においては、左方取付け機構ＪＬが、左方側係合体形成体１０Ｌにおける上下の２箇所の夫々に設けられ、また、右方取付け機構ＪＲが、右方側係合体形成体１０Ｒにおける上下の２箇所の夫々に設けられている。
【００４５】
左方取付け機構ＪＬ及び右方取付け機構ＪＲの夫々は、扉体３の洗浄槽横幅方向の位置を調節自在に構成されるものであって、具体的には、左方側係合体形成体１０Ｌ及び右方側係合体形成体１０Ｒを、扉体３の後面にビス１１ｄにて止着される支持金具１１に対して、扉体３の横幅方向（洗浄槽横幅方向）に沿って位置調節自在な状態で取付けるように構成されている。
【００４６】
左方側係合体形成体１０Ｌ及び右方側係合体形成体１０Ｒは、左右対称に構成されるものであり、また、左方取付け機構ＪＬ及び右方取付け機構ＪＲは、同様に構成されるものであるため、以下、右方側係合体形成体１０Ｒ及び右方取付け機構ＪＲを代表にして、その構成について説明し、左方側係合体形成体１０Ｌ及び左方取付け機構ＪＬについては、必要に応じて適宜説明を加える。
【００４７】
図１０及び図１１に示すように、右方側係合体形成体１０Ｒは、扉体３の上下幅方向（洗浄槽上下幅方向）に伸びる断面形状Ｌ型の軸状部１０ａの上下両端に、上方側の係合作用部Ｅｕを形成する上方板状部１０ｕ、及び、下方側の係合作用部Ｅｓを形成する下方板状部１０ｓを備えるものであって、扉体３の横幅方向視において、Ｕ字状に構成されている。
つまり、断面形状Ｌ型の軸状部１０ａは、その長手方向視にて、一辺側部分を扉体３の後面に当て付けた状態に装着されるものであって、軸状部１０ａにおける扉体３から起立姿勢となる他辺側部分に、上方板状部１０ｕ及び下方板状部１０ｓが連設されている。
【００４８】
軸状部１０ａにおける上下の支持金具１１に対応する箇所には、扉体３の横幅方向に伸びる二股状の中間板状部１０ｍが、軸状部１０ａにおける扉体３の後面に当て付けられる一辺側部分から連なる状態で形成され、それら中間板状部１０ｍが、支持金具１１に対して、扉体３の横幅方向に移動自在にかつ扉体３の上下幅方向での移動を規制された状態に係合するように構成されている。
つまり、支持金具１１は、扉体３の厚さ方向視（前後幅方向視）にて、帯板状に構成されるものであって、支持金具１１の上下の縁部に対して、中間板状部１０ｍの内縁部が摺接する状態となるように構成されている。
【００４９】
軸状部１０ａにおける上下の支持金具１１に対応する箇所には、扉体３の横幅方向に伸びる逆Ｕ字状の連結片１０ｒが、軸状部１０ａにおける扉体３から起立姿勢となる他辺側部分に連なる状態で形成されている（図１２及び図１３参照）。
【００５０】
支持金具１１は、図１２及び図１３に明示するように、扉体３の後面にビス１１ｄにて止着される板部分１１ａと、逆Ｕ字状の接続部分１１ｂとを、扉体３の横幅方向に並ぶ状態で備える形態に構成されている。
そして、接続部分１１ｂには、接続体１２が装備され、接続部分１１ｂにおける上壁に相当する部分には、扉体３の横幅方向に沿う長孔１３が形成されている。
【００５１】
接続体１２は、図１２〜図１４に示すように、支持金具１１における接続部分１１ｂと扉体３の後面との間に配置される本体部分１２ａと、本体部分１２ａから上方に突出する突出部分１２ｂとを備える状態に形成されている。
本体部分１２ａが、支持金具１１の接続部分１１ｂに形成した長孔１３の横幅よりも大きな横幅を有する状態に形成され、そして、突出部分１２ｂが、支持金具１１の接続部分１１ｂに形成した長孔１３の横幅よりも小さな横幅となる状態に形成されて、長孔１３を通して、接続部分１１ｂの外方に突出するように構成されている。
つまり、接続体１２は、扉体３の横幅方向に移動自在な状態で、支持金具１１の接続部分１１ｂに装着されている。
【００５２】
接続体１２における突出部分１２ｂが、扉体３の横幅方向に沿って二股状となるように形成されている。
そして、右方側係合体形成体１０Ｒにおける連結片１０ｒの先端が、接続体１２に係合するように構成され、かつ、連結片１０ｒを貫通する頭付ボルト１４が、接続体１２に螺合する状態で設けられている。
【００５３】
すなわち、頭付ボルト１４は、連結片１０ｒと接続体１２とに亘って架設されることになり、締め込みに伴って、接続体１２の本体部分１２ａを支持金具１１の接続部分１１ｂに圧接させて、接続体１２の支持金具１１に対する移動を固定し、かつ、連結片１０ｒを接続体１２に向けて押圧して、接続体１２に対する連結片１０ｒの離脱を阻止する状態に固定するように構成されている。
したがって、頭付ボルト１４を操作しながら、右方側係合体形成体１０Ｒの扉体３に対する横幅方向での位置を調節できるように構成されており、左方側係合体形成体１０Ｌも同様である。
【００５４】
つまり、頭付ボルト１４を緩めた状態において、接続体１２の支持金具１１に対する扉体３の横幅方向での位置を変更しながら、右方側係合体形成体１０Ｒの扉体３に対する横幅方向での位置を変更することができ、かつ、頭付ボルト１４を締め付けた状態において、接続体１２の支持金具１１に対する扉体３の横幅方向での移動を固定することによって、右方側係合体形成体１０Ｒの扉体３に対する横幅方向での移動を固定することができるように構成され、左方側係合体形成体１０Ｌについても同様に構成されている。
【００５５】
以上の説明から明らかな如く、本実施形態においては、右方取付け機構ＪＲが、扉体３に固定した支持金具１１に対して洗浄槽横幅方向に移動自在に且つ扉体３の後面から離間する方向への移動を阻止された状態に支持された接続体１２に対して、右方側係合体形成体１０Ｒから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００５６】
また、左方取付け機構ＪＬが、右方取付け機構ＪＲと同様に、扉体３に固定した支持金具１１に対して洗浄槽横幅方向に移動自在に且つ扉体３の後面から離間する方向への移動を阻止された状態に支持された接続体１２に対して、左方側係合体形成体１０Ｌから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００５７】
そして、本実施形態においては、左方取付け機構ＪＬが、左方側係合体形成体１０Ｌの上下２箇所に対応して設けられるものであるから、左方側係合体形成体１０Ｌの扉体３に対する横幅方向での位置を調節する際には、上下２箇所の頭付ボルト１４を操作しながら行うことになる。
同様に、右方取付け機構ＪＲが、右方側係合体形成体１０Ｒの上下２箇所に対応して設けられるものであるから、右方側係合体形成体１０Ｒの扉体３に対する横幅方向での位置を調節する際には、上下２箇所の頭付ボルト１４を操作しながら行うことになる。
【００５８】
尚、扉体３を洗浄槽２の前部に装着した状態においては、左方側係合体形成体１０Ｌや右方側係合体形成体１０Ｒは、洗浄槽２の前部の係合部Ｆに支持された状態になるものであるから、扉体３を洗浄槽２の前部に装着した状態においては、左方側係合体形成体１０Ｌや右方側係合体形成体１０Ｒに対して、扉体３に取付けた支持金具１１の洗浄槽横幅方向での位置が調節されることになり、この調節によって、洗浄槽２に対する扉体３の洗浄槽横幅方向での位置が調節されることになる。
【００５９】
ちなみに、扉体３を洗浄槽２に装着した状態、つまり、扉体３の後面に取付けた係合体Ｅを洗浄槽２の前部に設けた係合部Ｆに係合させて、扉体３を洗浄槽２の前部に装着した状態においては、左方側係合体形成体１０Ｌ及び右方側係合体形成体１０Ｒが、洗浄槽２における左右の前方張出部２ｆの間に位置するものとなるが、図２及び図６に示すように、洗浄槽２における左右の前方張出部２ｆには、頭付ボルト１４を操作するためのボルト操作用孔１５が形成されているため、扉体３を洗浄槽２に装着した状態においても、頭付ボルト１４を操作しながら、洗浄槽２に対する扉体３の洗浄槽横幅方向での位置を調節できるようになっている。
【００６０】
次に、係合体Ｅにおける上方側の左右一対の係合作用部Ｅｕ及び下方側の左右一対の係合作用部Ｅｓ、並びに、係合部Ｆにおける上方側の左右一対の係合部分Ｆｕ及び下方側の左右一対の係合部分Ｆｓを説明する。
尚、上方側の左右一対の係合作用部Ｅｕは同様に構成され、下方側の左右一対の係合作用部Ｅｓも同様に構成されるものであるため、以下、右方側係合体形成体１０Ｒが備える上方側の右方の係合作用部Ｅｕ、及び、下方側の右方の係合作用部Ｅｓを代表として説明し、左方側係合体形成体１０Ｌが備える上方側の左方の係合作用部Ｅｕ、及び、下方側の左方の係合作用部Ｅｓについては、必要に応じて説明を加える。
【００６１】
また、上方側の左右一対の係合部分Ｆｕは同様に構成され、下方側の左右一対の係合部分Ｆｓも同様に構成されるものであるため、係合部Ｆについても、右方側係合体形成体１０Ｒが備える上方側の右方の係合作用部Ｅｕが係合する上方側の右方の係合部分Ｆｕ、及び、下方側の右方の係合作用部Ｅｓが係合する下方側の右方の係合部分Ｆｓを代表として説明し、上方側の左方の係合部分Ｆｕ及び下方側の左方の係合部分Ｆｓについては必要に応じて説明を加える。
【００６２】
図２、図１０及び図１５に示すように、上方側の右方の係合作用部Ｅｕを形成する右方側係合体形成体１０Ｌの上方板状部１０ｕには、上方側の右方の係合部分Ｆｕが備える前後位置調整用回転体１６に上方より係合する下向き開口状の係合孔１７、及び、固定用ボルト１８が挿通する４角状の挿通孔１９が形成されている。
【００６３】
上方側の右方の係合部分Ｆｕは、図３、図５及び図７に示すように、洗浄槽２の前部の上方箇所にビス止めされる横長状の固定受け金具２０の端部に装備されている。
すなわち、固定受け金具２０は、横長枠体状の本体部２０ａと、その本体部２０ａの両端部の前後方向に沿う姿勢の板状部２０ｂとから構成され、その板状部２０ｂに、前後位置調整用回転体１６が回転自在に支持され、また、固定用ボルト１８が螺合する連結孔２１が形成されている。
【００６４】
前後位置調整用回転体１６は、図１７に示すように、マイナスドライバーの先端が係合する係合溝２２を備えた円盤状の頭部１６Ａと、円柱状の軸部１６Ｂとを備えるものであり、軸部１６Ｂが、頭部１６Ａの中心に対して偏心する状態で、頭部１６Ａに対して接続されて、いわゆる偏心式のカム操作体として構成されている。
そして、前後位置調整用回転体１６の軸部１６Ｂが板状部２０ｂに回転自在に嵌合されており、前後位置調整用回転体１６の頭部１６Ａを回転操作することにより、右方側係合体形成体１０Ｌの上方板状部１０ｕを洗浄槽前後幅方向（扉体３の厚さ方向）に移動させることができるように構成されている。
【００６５】
したがって、上方側の右方の係合作用部Ｅｕは、上方側の右方の係合部分Ｆｕが備える前後位置調整用回転体１６に対して下向き開口状の係合孔１７が係合することにより、上方側の右方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の右方の係合部分Ｆｕに対する洗浄槽前後幅方向での位置が調節されることになる。
【００６６】
そして、上方側の左方の係合作用部Ｅｕも、上方側の右方の係合作用部Ｅｕと同様に、上方側の左方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の左方の係合部分Ｆｕに対する洗浄槽前後幅方向での位置が調節されることになる。
【００６７】
固定用ボルト１８は、右方側係合体形成体１０Ｒの上方板状部１０ｕの挿通孔１９を覆う大きさの頭部を備える又は挿通孔１９を覆う大きさの座金を介在させて装着されるものであって、固定受け金具２０の板状部２０ｂの連結孔２１に螺合させて締め付けることにより、右方側係合体形成体１０Ｒの上方板状部１０ｕを固定受け金具２０の板状部２０ｂに密着させた状態に固定するように構成されている。
【００６８】
図２、図１０及び図１６に示すように、下方側の右方の係合作用部Ｅｓを形成する右方側係合体形成体１０Ｒの下方板状部１０ｓには、下方側の右方の係合部分Ｆｓが備える前後位置調整用回転体２３に上方より係合する下向き開口状の係合孔２４、下方側の右方の係合部分Ｆｓが備える上下位置調整用回転体２５に対して上方から接当する接当部２６、及び、固定用ボルト２７が挿通する４角状の挿通孔２８が形成されている。
【００６９】
下方側の右方の係合部分Ｆｕは、図５及び図８に示すように、洗浄槽側レール部材６に装備した洗浄槽接続部材７の前端部に設けられている。
すなわち、洗浄槽接続部材７の前端部に、前後方向に沿う姿勢の板体２９が上方に向けて起立する状態で設けられ、その板体２９に、前後位置調整用回転体２３及び上下位置調整用回転体２５が回転自在に支持され、また、固定用ボルト２７が螺合する連結孔３０が形成されている。
【００７０】
前後位置調整用回転体２３及び上下位置調整用回転体２５は、上方側の係合部分Ｆｕが備える前後位置調整用回転体１６と同様に、いわゆる偏心式のカム操作体として構成されて、板体２９に回転自在に支持されている。
つまり、前後位置調整用回転体２３を回転操作することにより、右方側係合体形成体１０Ｒの下方板状部１０ｓを洗浄槽前後幅方向（扉体３の厚さ方向）に移動させることができ、また、上下位置調整用回転体２５を回転操作することにより、右方側係合体形成体１０Ｒを洗浄槽上下幅方向（扉体３の上下幅方向）に移動させることができるように構成されている。
【００７１】
したがって、下方側の右方の係合作用部Ｅｓは、下方側の右方の係合部分Ｆｓが備える前後位置調整用回転体２３に対して下向き開口状の係合孔２４が係合することにより、下方側の右方の係合部分Ｆｓに対する洗浄槽前後幅方向の移動が阻止され、かつ、洗浄槽上下幅方向の移動が許容されることになり、かつ、前後位置調整用回転体２３の回転操作により、下方側の右方の係合部分Ｆｓに対する洗浄槽前後幅方向での位置が調節されることになる。
【００７２】
そして、下方側の左方の係合作用部Ｅｓも、下方側の右方の係合作用部Ｅｓと同様に、下方側の左方の係合部分Ｆｓに対する洗浄槽前後幅方向の移動が阻止され、かつ、洗浄槽上下幅方向の移動が許容されることになり、かつ、前後位置調整用回転体２３の回転操作により、上方側の左方の係合部分Ｆｕに対する洗浄槽前後幅方向での位置が調節されることになる。
【００７３】
さらに、以上の説明から明らかな如く、上方側の右方の係合作用部Ｅｕ及び下方側の右方の係合作用部Ｅｓが、上下位置調整用回転体２５の回転操作により、上方側の右方の係合部分Ｆｕ及び下方側の右方の係合部分Ｆｓに対する洗浄槽上下幅方向での位置が変更調節されることになる。
同様に、上方側の左方の係合作用部Ｅｕ及び下方側の左方の係合作用部Ｅｓが、上下位置調整用回転体２５の回転操作により、上方側の左方の係合部分Ｆｕ及び下方側の左方の係合部分Ｆｓに対する洗浄槽上下幅方向での位置が変更調節されることになる。
【００７４】
固定用ボルト２７は、上方側の右方の係合部分Ｆｕの固定用ボルト１８と同様に、右方側係合体形成体１０Ｒの下方板状部１０ｓの挿通孔２８を覆う大きさの頭部を備える又は挿通孔２８を覆う大きさの座金を介在させて装着されるものであって、板体２９の連結孔３０に螺合させて締め付けることにより、右方側係合体形成体１０Ｒの下方板状部１０ｓを板体２９に密着させた状態に固定するように構成されている。
【００７５】
また、左方側係合体形成体１０Ｌの上方板状部１０ｕが、固定受け金具２０の板状部２０ｂの横外方側に位置し、かつ、右方側係合体形成体１０Ｒの上方板状部１０ｕが、固定受け金具２０の板状部２０ｂの横外方側に位置するように構成され、また、左方側係合体形成体１０Ｌの下方板状部１０ｓが、洗浄槽接続部材７に装備した板体２９の横外方側に位置し、かつ、右方側係合体形成体１０Ｒの下方板状部１０ｓが、洗浄槽接続部材７に装備した板体２９の横外方側に位置するように構成されることによって、扉体３が洗浄槽横幅方向に移動することが規制されている。
【００７６】
以上の通り、本実施形態においては、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されている。
【００７７】
そして、下方側の左方の係合部分Ｆｓに、左方側係合体形成体１０Ｌの洗浄槽上下幅方向での位置を調節すべく、下方側の左方の係合作用部Ｅｓを洗浄槽上下幅方向での位置を変更調節自在に受止め支持する左方側の受止め支持体として、上下位置調整用回転体２５が設けられることになる。
同様に、下方側の右方の係合部分Ｆｓに、右方側係合体形成体１０Ｒの洗浄槽上下幅方向での位置を調節すべく、下方側の右方の係合作用部Ｅｓを洗浄槽上下幅方向での位置を変更調節自在に受止め支持する右方側の受止め支持体として、上下位置調整用回転体２５が設けられることになる。
【００７８】
ちなみに、扉体３を洗浄槽２に装着するために、扉体３に取付けた係合体Ｅを洗浄槽２の前部に設けた係合部Ｆに係合させた状態においては、左方側係合体形成体１０Ｌ及び右方側係合体形成体１０Ｒが、洗浄槽２における左右の前方張出部２ｆの間に位置するものとなるが、図２、図１５及び図１６に示すように、洗浄槽２における右方側の前方張出部２ｆには、上方側操作用窓３１及び下方側操作用窓３２が形成されている。
【００７９】
そして、上方側操作用窓３１を通して、上方側の右方の係合作用部Ｅｕと上方側の右方の係合部分Ｆｕとの係合状態の確認や、上方側の右方の係合部分Ｆｕが備える前後位置調整用回転体１６の回転操作を行うことができ、加えて、固定用ボルト１８の装着作業を行えるように構成されている。
また、下方側操作用窓３２を通して、下方側の右方の係合作用部Ｅｓと下方側の右方の係合部分Ｆｓとの係合状態の確認や、下方側の右方の係合部分Ｆｓが備える前後位置調整用回転体２３及び上下位置調整用回転体２５の回転操作を行うことができ、加えて、固定用ボルト２７の装着作業を行えるように構成されている。
【００８０】
ちなみに、図示は省略するが、上方側操作用窓３１及び下方側操作用窓３２は、左方側の前方張出部２ｆにも形成されて、上方側の左方の係合作用部Ｅｕと上方側の左方の係合部分Ｆｕとの係合状態の確認や、下方側の左方の係合作用部Ｅｓと下方側の左方の係合部分Ｆｓとの係合状態の確認等の作業を行えるように構成されている。
【００８１】
以上の通り、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されて、洗浄槽２に対する扉体３の洗浄槽上下幅方向での位置を変更調節自在に構成されている。また、左方取付け機構ＪＬ及び右方取付け機構ＪＲの夫々が、左方側係合体形成体１０Ｌ及び右方側係合体形成体１０Ｒを、扉体３の後面に止着される支持金具１１に対して、扉体３の横幅方向（洗浄槽横幅方向）に沿って位置調節自在な状態で取付けるように構成されて、扉体３の洗浄槽横幅方向の位置を調節自在に構成されている。
従って、上方側左方連結部ＵＬ、上方側右方連結部ＵＲ、下方側左方連結部ＳＬ、及び、下方側右方連結部ＳＲ、並びに、左方取付け機構ＪＬ及び右方取付け機構ＪＲにより、扉体装着位置調節機構Ｐが構成されている。
しかも、扉体装着位置調節機構Ｐは、洗浄槽２に対する扉体３の洗浄槽前後幅方向での位置を変更調調節在に構成されている。
【００８２】
（前カバーの構成）
前カバーＭは合成樹脂製であり、図２、図６及び図９に示すように、平面視形状が概略コの字状に構成されるものであって、その横幅方向の端部を洗浄槽２の左右の前方張出部２ｆの外方に位置させる状態で、その上部側の左右両側部分が、樹脂製の装着ネジ３３にて洗浄槽２に止着されている。
そして、前カバーＭには、係合体Ｅにおける上方側の左右一対の係合作用部Ｅｕ及び下方側の左右一対の係合作用部Ｅｓを挿通させるために、上下方向に沿う４つのスリット状開口３４が形成されている。
【００８３】
また、前カバーＭには、図６及び図９に示すように、左方側係合体形成体１０Ｌや右方側係合体形成体１０Ｒにおける支持金具１１との接続部分を挿通させる４つの窓状の挿通開口３５が形成されており、扉体３を洗浄槽２の前部に装着した状態において、前カバーＭを、扉体３と洗浄槽２の間に位置させることができるように構成されている。
さらに、図３、図４及び図７に示すように、洗浄槽２の前部の上方箇所に取り付けられた固定受け金具２０における洗浄槽横幅方向の中央部には、扉体３を装着しない状態において、洗浄槽２を引出し操作する仮把手部２０ｃが備えられ、図９に示すように、前カバーＭの上部側箇所には、仮把手部２０ｃを操作するための仮把手部操作用開口３６が形成されている。
そして、洗浄槽２に扉体３を装着しない状態で、仮把手部操作用開口３６を通して仮把手部２０ｃを掴んで、洗浄槽２を引出し操作することが可能に構成されている。
【００８４】
また、図２に示すように、洗浄槽２における前面部の上端箇所には、扉体３の後面と接当するシール部材４０が装備されて、扉体３の洗浄槽２に対する洗浄槽前後幅方向での位置が変更されても、扉体３と洗浄槽２との間に大きな隙間が生じることを抑制するように構成されている。
【００８５】
（本体ケーシングに対する洗浄槽の位置決め構成）
図９及び図２１に示すように、本発明では、洗浄槽２が収納位置に向けて移動するのに伴って、本体ケーシング１に対する洗浄槽２の前端部の洗浄槽横幅方向及び洗浄槽上下幅方向での位置を設定適正位置に位置決め作用する洗浄槽位置決め機構Ｈが設けられている。以下、この洗浄槽位置決め機構Ｈについて説明する。
【００８６】
図２〜図４、図９及び図２０に示すように、洗浄槽２の左右の側壁２Ｓ夫々における前方張出部２ｆの前端部には、３個の凸部４１が、夫々、洗浄槽挿脱用開口Ａの内外方向（すなわち、洗浄槽横幅方向）の外方側に突出する形態で、上下方向に間隔を開けて備えられている。但し、図２０においては、右側の側壁２Ｓに備えられた凸部４１を示す。
尚、各側壁２Ｓは、上述した下方張出部２ｄ及び前方張出部２ｆに加えて、３個の凸部４１を備える形態に、樹脂成型にて形成されている。
【００８７】
図３、図２０及び図２２に示すように、洗浄槽２の左右の側壁２Ｓ夫々に備えられた各凸部４１は、平面視においては概略長方形状を呈し、且つ、側面視においては洗浄槽前後幅方向に水平方向に沿って伸びる細長状を呈する形状に形成されている。
図２及び図２２に示すように、各凸部４１において、上面部４１ｃ、下面部４１ｂは、夫々、概ね水平方向に沿っている。また、各凸部４１において、後方に向く後面部４１ｒは、側面視において、洗浄槽上下幅方向の中央部が洗浄槽前後幅方向の最後部となるかまぼこ状に形成されている。つまり、各凸部４１の後面部４１ｒにおいて、上方側の部分は、洗浄槽前後幅方向の後ろ側ほど低位となる後ろ下がり状の傾斜面に形成され、下方側の部分は、洗浄槽前後幅方向の後ろ側ほど高位となる後ろ上がり状の傾斜面に形成されている。
【００８８】
また、各凸部４１において、洗浄槽挿脱用開口Ａの内外方向の外方側を向く横側面部４１ｓは、正面視において、洗浄槽上下幅方向の中央部が洗浄槽挿脱用開口Ａの内外方向の最外方となるかまぼこ状に形成されている。つまり、各凸部４１の横側面部４１ｓにおいて、上方側の部分は、洗浄槽挿脱用開口Ａの内外方向の外側ほど低位となる横下がり状の傾斜面に形成され、下方側の部分は、洗浄槽挿脱用開口Ａの内外方向の外側ほど高位となる横上がり状の傾斜面に形成されている。すなわち、例えば、右側の側壁２Ｓに設けられた各凸部４１の横側面部４１ｓにおいて、上方側の部分は右横下がり状の傾斜面となり、下方側の部分は右横上がり状の傾斜面となる。
さらに、各凸部４１において、後面部４１ｒと横側面部４１ｓとにより形成される角部に相当する角面部４１ｅは、後面部４１ｒのかまぼこ状の面と横側面部４１ｓのかまぼこ状の面が、平面視で円弧状に連なる形態に形成されている。
【００８９】
図９及び図１９に示すように、本体ケーシング１の前部の左側縁部には、洗浄槽挿脱用開口Ａの左側の開口縁部を形成する左方開口縁部材５０Ｌが、３本の固定用ボルト４８にて取り付けられ、その右側縁部には、洗浄槽挿脱用開口Ａの右側の開口縁部を形成する右方開口縁部材５０Ｒが、２本の固定用ボルト４８にて取り付けられている。左方開口縁部材５０Ｌ及び右方開口縁部材５０Ｒ夫々は、以下に説明する形状に、樹脂成型（例えば、ＡＢＳ樹脂）により形成されている。
【００９０】
左方開口縁部材５０Ｌ及び右方開口縁部材５０Ｒは、正面視において、概略左右対称状に構成され、それぞれ、正面視において、上下方向に伸びる長尺状部分と、その長尺状部分の下端から洗浄槽挿脱用開口Ａの内方側に伸びる突出部とを備えた概略Ｌ字状、逆Ｌ字状（裏面視でＬ字状）の板状に構成されている。さらに、図１９及び図２２に示すように、左方開口縁部材５０Ｌ及び右方開口縁部材５０Ｒ夫々において、Ｌ字形状、逆Ｌ字形状の内方縁に相当する部分は、後方側に突出する状態となって、柱状部分５１に構成されている。
【００９１】
図１、図９及び図１９に示すように、左方開口縁部材５０Ｌ及び右方開口縁部材５０Ｒ夫々の柱状部分５１において、前方に臨む面と洗浄槽挿脱用開口Ａの内方に臨む面との角部（洗浄槽挿脱用開口Ａの開口縁における上下方向に沿う部分に相当する）には、３個の凹部５２が、上下方向に間隔を開けて並設されている。
【００９２】
図９及び図２１に示すように、右方開口縁部材５０Ｒの３個の凹部５２は、洗浄槽２が収納位置に近づくのに伴って、洗浄槽２の右側の側壁２Ｓの３個の凸部４１が各別に入り込むように位置を定めて設けられ、並びに、左方開口縁部材５０Ｌの３個の凹部５２も、洗浄槽２が収納位置に近づくのに伴って、洗浄槽２の左側の側壁２Ｓの３個の凸部４１が各別に入り込むように位置を定めて設けられている。
また、本体ケーシング１の左方開口縁部材５０Ｌ及び右方開口縁部材５０Ｒ夫々の３個の凹部５２と、洗浄槽２の左右の側壁２Ｓ夫々の３個の凸部４１とは、洗浄槽２が収納位置に位置して、各凸部４１が夫々に対応する凹部５２に入り込んだ状態で、本体ケーシング１に対する洗浄槽２の前端部の洗浄槽横幅方向及び洗浄槽上下幅方向での位置を設定適正位置に位置決めするように、相対位置関係を定めて設けられている。
ちなみに、本体ケーシング１に対する洗浄槽２の前端部の設定適正位置は、例えば、洗浄槽挿脱用開口Ａの略中央に設定される。
【００９３】
図１９及び図２２に示すように、左方開口縁部材５０Ｌ及び右方開口縁部材５０Ｒ夫々に設けられた各凹部５２は、洗浄槽挿脱用開口Ａの内外方向（すなわち、洗浄槽横幅方向）の外方側及び本体ケーシング１の前後方向（すなわち、洗浄槽前後幅方向）の後方側に引っ込む形態に形成されて、天井面部５２ｃ、底面部５２ｂ、洗浄槽挿脱用開口Ａの内外方向（すなわち、洗浄槽横幅方向）の外方側に位置する側壁面部５２ｓ及び前後方向（すなわち、洗浄槽前後幅方向）の後方側に位置する後壁面部５２ｒにて囲まれている。但し、図２２においては、右方開口縁部材５０Ｒに形成された凹部５２を示している。
ちなみに、天井面部５２ｃ、底面部５２ｂは、夫々、概ね水平方向に沿い、側壁面部５２ｓは、概ね洗浄槽前後幅方向及び鉛直方向に沿い、後壁面部５２ｒは、概ね洗浄槽横幅方向及び鉛直方向に沿っている。
【００９４】
つまり、図２１（ａ）に示すように、洗浄槽２が収納位置の手前に位置して、洗浄槽２の左右の側壁２Ｓ夫々の３個の凸部４１が、本体ケーシング１の左方開口縁部材５０Ｌ及び右方開口縁部材５０Ｒ夫々の３個の凹部５２の手前に位置する状態では、洗浄槽２は本体ケーシング１に対して位置決めされていない。
そして、図２１（ｂ）に示すように、洗浄槽２が収納位置側に移動して収納位置の少し手前に位置するのに伴って、洗浄槽２の左右の側壁２Ｓ夫々の３個の凸部４１が、本体ケーシング１の左方開口縁部材５０Ｌ及び右方開口縁部材５０Ｒ夫々の３個の凹部５２に各別に入り込んだ状態で、各凹部５２の天井面部５２ｃ及び底面部５２ｂにより、各凸部４１における洗浄槽上下幅方向での移動が規制されて、本体ケーシング１に対する洗浄槽２の前端部の洗浄槽上下幅方向での位置が設定適正位置に位置決めされる。並びに、同様の状態で、各凹部５２の側壁面部５２ｓにより、各凸部４１における洗浄槽挿脱用開口Ａの内外方向（すなわち、洗浄槽横幅方向）の外方側への移動が規制されて、本体ケーシング１に対する洗浄槽２の前端部の洗浄槽横幅方向での位置が設定適正位置に位置決めされる。
【００９５】
また、図示を省略するが、この食器洗浄機Ｓには、洗浄槽２が収納位置の手前に近づくのに伴って、弾性付勢力により洗浄槽２を後方側に引き込み作用する引き込み機構が設けられている。
つまり、洗浄槽２が収納位置に位置して、洗浄槽２の左右の側壁２Ｓ夫々の３個の凸部４１が、本体ケーシング１の左方開口縁部材５０Ｌ及び右方開口縁部材５０Ｒ夫々の３個の凹部５２に各別に入り込んだ状態では、引き込み機構の引き込み作用により、凸部４１が凹部５２の後壁面部５２ｒに当接して、洗浄槽２の後方への移動が規制されることになり、本体ケーシング１に対する洗浄槽２の前端部の洗浄槽前後幅方向での位置が位置決めされる。
【００９６】
以上の通り、図９及び図２１に示すように、洗浄槽２の左右の側壁２Ｓ夫々の各凸部４１と、本体ケーシング１の左方開口縁部材５０Ｌ及び右方開口縁部材５０Ｒ夫々の各凹部５２とにより、本体ケーシング１に対する洗浄槽２の前端部の洗浄槽横幅方向及び洗浄槽上下幅方向での位置を設定適正位置に位置決め作用する位置決め作用部Ｈｗが構成されることになる。
つまり、本実施形態では、位置決め作用部Ｈｗが、洗浄槽２の前端部に、洗浄槽挿脱用開口Ａの内外方向の外方側に突出する形態で設けられた凸部４１と、洗浄槽２が収納位置に近づくのに伴って凸部４１が入り込むように、洗浄槽挿脱用開口Ａの開口縁部に、洗浄槽挿脱用開口Ａの内外方向の外方側及び本体ケーシング１の前後方向の後方側に引っ込む形態で設けられた凹部５２とを備えて構成されていることになる。
【００９７】
また、洗浄槽位置決め機構Ｈが、位置決め作用部Ｈｗを、洗浄槽挿脱用開口Ａにおける洗浄槽横幅方向の両端部夫々に備えて構成されていることになる。
また、洗浄槽位置決め機構Ｈが、位置決め作用部Ｈｗを、洗浄槽挿脱用開口Ａにおける洗浄槽横幅方向の両端部夫々において、洗浄槽上下幅方向に複数（本実施形態では３個）備えて構成されていることになる。
【００９８】
さらに、本体ケーシング１に、左方開口縁部材５０Ｌ及び右方開口縁部材５０Ｒが洗浄槽挿脱用開口Ａの開口縁部を形成する開口縁部材として設けられ、洗浄槽位置決め機構Ｈを構成する部材のうち、本体ケーシング１側に設けられる部材としての凹部５２が、左方開口縁部材５０Ｌ及び右方開口縁部材５０Ｒに設けられていることになる。
【００９９】
そして、各凸部４１の後面部４１ｒの上方側の部分が後ろ下がり状の傾斜面に形成され、並びに、下方側の部分が後ろ上がり状の傾斜面に形成されていることから、洗浄槽２が収納位置側に移動して、各凸部４１が各凹部５２の開口部に達すると、各凸部４１の後面部４１ｒの上方側の後ろ下がり状の傾斜面や下方側の後ろ上がり状の傾斜面が、各凹部５２の開口部の上端縁や下端縁に摺接しながら、各凸部４１が各凹部５２に導き入れられることになる。つまり、本体ケーシング１に対する洗浄槽２の前端部の洗浄槽上下幅方向での位置決めを極力精度良く行うべく、各凹部５２の天井面部５２ｃと底面部５２ｂとの間隔を極力狭くしても、洗浄槽２が収納位置側に移動する際に、洗浄槽２の各凸部４１を本体ケーシング１の各凹部５２に導き入れることが可能となる。
【０１００】
また、各凸部４１の角面部４１ｅが平面視で円弧状に形成されていることから、洗浄槽２が収納位置側に移動して、各凸部４１が各凹部５２の開口部に達すると、各凸部４１の角面部４１ｅが各凹部５２の開口部の横側縁部に摺接しながら、各凸部４１が各凹部５２に導き入れられることになる。つまり、本体ケーシング１に対する洗浄槽２の前端部の洗浄槽横幅方向での位置決めを極力精度良く行うべく、左右の凹部５２同士の間隔を極力狭くしても、洗浄槽２が収納位置側に移動する際に、洗浄槽２の各凸部４１を本体ケーシング１の各凹部５２に導き入れることが可能となる。
要するに、洗浄槽位置決め機構Ｈにより、本体ケーシング１に対する洗浄槽２の前端部の洗浄槽横幅方向及び洗浄槽上下幅方向での位置を、極力精度良く設定適正位置に位置決めすることができる。
【０１０１】
次に、扉体３を洗浄槽２に装着する手順について説明を加える。
先ず、扉体３の後面に装着した係合体Ｅにおける上方側の左右一対の係合作用部Ｅｕ及び下方側の左右一対の係合作用部Ｅｓを、前カバーＭのスリット状開口３４を通して、前カバーＭの内部に挿入し、次に、上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させることになる（図１８参照）。
【０１０２】
具体的には、左方側係合体形成体１０Ｌや右方側係合体形成体１０Ｒにおける上方板状部１０ｕの係合孔１７を、上方側の係合部分Ｆｕの前後位置調整用回転体１６に係合させる。
同様に、左方側係合体形成体１０Ｌや右方側係合体形成体１０Ｒにおける下方板状部１０ｓの係合孔２４を、下方側の係合部分Ｆｕの前後位置調整用回転体２３に係合させ、かつ、下方板状部１０ｓの接当部２６を下方側の係合部分Ｆｓの上下位置調整用回転体２５に接当する状態に載せ付ける。
【０１０３】
次に、係合体Ｅにおける上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させた状態において、扉体３の洗浄槽上下幅方向での位置、扉体３の洗浄槽前後幅方向での位置、及び、扉体３の洗浄槽横幅方向での位置を調節することになり、加えて、扉体３の前後方向での傾きや左右方向での傾きを調節することになる。
【０１０４】
具体的には、左右一対の下方側の係合部分Ｆｓに装備した上下位置調整用回転体２５を回転操作することにより、扉体３の洗浄槽上下幅方向での位置を調節する。
また、上方側の左右一対の係合部分Ｆｕに装備した前後位置調整用回転体１６及び下方側の左右一対の係合部分Ｆｓに装備した前後位置調整用回転体２３の回転操作により、扉体３の洗浄槽前後幅方向での位置を調節することになる。
この際、左右の前後位置調整用回転体１６及び左右の前後位置調整用回転体２３の回転操作により、扉体３の上方側の左右両側部分及び下方側の左右両側部分についての洗浄槽前後幅方向での位置を調節することにより、扉体３の前後方向での傾きや左右方向での傾きを調節することができる。
【０１０５】
また、必要に応じて、頭付ボルト１４を操作しながら、左方側係合体形成体１０Ｌや右方側係合体形成体１０Ｒの扉体３に対する横幅方向での位置を調節することによって、扉体３の洗浄槽横幅方向での位置を調節することができる。
【０１０６】
そして、扉体３の洗浄槽２に対する位置調節が終了すると、上方側の左右一対の係合部分Ｆｕに対応する固定用ボルト１８及び下方側の左右一対の係合部分Ｆｓに対応する固定用ボルト２７を締結し、また、４つの頭付ボルト１４を締結する締結作業を行う。
【０１０７】
ちなみに、扉体３を洗浄槽２の前部に装着する作業を行う際には、装着ネジ３３を少し緩めて、前カバーＭを前後に揺動できる状態にしておき、上述した締結作業が終了した段階で、前カバーＭを扉体３後面に密着させるように揺動させ、その後、装着ネジ３３を締め付けて、前カバーＭを固定することになる。
【０１０８】
上述のようにして扉体３を洗浄槽２に装着する作業が終了すると、洗浄槽２を収納位置側に移動させて収納位置に位置させる。すると、洗浄槽位置決め機構Ｈにより、本体ケーシング１に対する洗浄槽２の前端部の洗浄槽横幅方向及び洗浄槽上下幅方向での位置が設定適正位置に位置決めされる。その状態で、扉体３の表面の端縁と左右や下方に隣接する設置体Ｄの表面の端縁との関係を視認する。
【０１０９】
そして、扉体３の表面の端縁と左右や下方に隣接する設置体Ｄ夫々の表面の端縁とが平行でなかったり、扉体３の表面の端縁と左右や下方に隣接する設置体Ｄ夫々の表面の端縁との間隔が均等でない場合は、扉体３の表面の端縁と左右や下方に隣接する設置体Ｄ夫々の表面の端縁とを平行にしたり、扉体３の表面の端縁と左右や下方に隣接する設置体Ｄ夫々の表面の端縁との間隔を均等にすべく、扉体装着位置調節機構Ｐにより、上述のようにして、扉体３の洗浄槽上下幅方向での位置や洗浄槽前後幅方向での位置等を微調することになる。
従って、洗浄槽２が収納位置に収納されたときの外観をシステムキッチン全体として統一感のある外観としながら、その外観を向上することができる。
【０１１０】
〔別実施形態〕
次に別実施形態を説明する。
（イ）図２５に示すように、本体ケーシング１の左方開口縁部材５０Ｌ及び右方開口縁部材５０Ｒ夫々の３個の凹部５２と、洗浄槽２の左右の側壁２Ｓ夫々の３個の凸部４１とを、洗浄槽２が収納位置側に移動する際に、扉体３の厚さに相当する距離Ｌｔよりも多少（例えば、５ｍｍ程度）長い距離Ｌｓだけ収納位置の手前の位置に達するのに伴って、各凸部４１が夫々に対応する凹部５２に入り込むように、相対位置関係を定めて設けても良い。
つまり、洗浄槽２が収納位置側に移動する際に、扉体３の厚さに相当する距離Ｌｔよりも長い距離Ｌｓだけ収納位置の手前の位置に達するのに伴って、各凸部４１が各凹部５２に入り込むように構成することになる。
【０１１１】
この場合、洗浄槽２が収納位置側に移動する際に、洗浄槽２の扉体３の後端部の端縁部が、システムキッチンＫの設置体Ｄの表面の端縁部に達する前に、洗浄槽２の各凸部４１が本体ケーシング１の各凹部５２に入り込んで、本体ケーシング１に対する洗浄槽２の前端部の洗浄槽横幅方向及び洗浄槽上下幅方向での位置が設定適正位置に位置決めされる。
従って、施工現場にて扉体３を洗浄槽２の前部に取り付ける際に、所定の設定位置からの位置ずれが比較的大きくても、洗浄槽２を収納位置側に移動する際に、洗浄槽２の扉体３の後端部の端縁部がシステムキッチンＫの設置体Ｄの端縁部に当たるのを回避して、洗浄槽２を的確に収納位置に位置させることができる。
そして、そのように洗浄槽２を収納位置に位置させて、洗浄槽位置決め機構Ｈにより、本体ケーシング１に対する洗浄槽２の前端部の洗浄槽横幅方向及び洗浄槽上下幅方向での位置が設定適正位置に位置決めされた状態で、扉体装着位置調節機構Ｐにより、上述のように、洗浄槽２の前部に対する扉体３の装着位置を洗浄槽横幅方向及び洗浄槽上下幅方向において調節して、扉体３の表面の端縁と左右や下方に隣接する設置体Ｄ夫々の表面の端縁とを平行にしたり、扉体３の表面の端縁と左右や下方に隣接する設置体Ｄ夫々の表面の端縁との間隔を均等にする。
【０１１２】
（ロ）  洗浄槽２の左右の側壁２Ｓ夫々に設ける各凸部４１、及び、本体ケーシング１の左方開口縁部材５０Ｌ及び右方開口縁部材５０Ｒ夫々に設ける各凹部５２夫々の形状は、上記の実施形態において説明した形状に限定されるものではない。
例えば、各凹部５２における天井面部５２ｃと底面部５２ｂとの間隔を、洗浄槽前後幅方向の後方側ほど狭くなるように構成しても良い。この場合、本体ケーシング１に対する洗浄槽２の前端部の洗浄槽上下幅方向での位置決め精度を一層向上することができる。
また、左右の凹部５２夫々の側壁面部５２ｓ同士の間隔を、洗浄槽前後幅方向の後方側ほど狭くなるように構成しても良い。この場合、本体ケーシング１に対する洗浄槽２の前端部の洗浄槽横幅方向での位置決め精度を一層向上することができる。
【０１１３】
また、上記の実施形態では、各凸部４１の後面部４１ｒにおける上方側の部分の後ろ下がり状の傾斜面や、下方側の部分の後ろ上がり状の傾斜面を曲面状に形成したが、平面状に形成しても良い。また、上記の実施形態では、各凸部４１の角面部４１ｅを平面視で円弧状となる曲面状に形成したが、平面視で直線状となる平面状に形成しても良い。
【０１１４】
（ハ）  上記の実施形態では、洗浄槽位置決め機構Ｈの位置決め作用部Ｈｗを構成する凸部４１及び凹部５２のうち、凸部４１を洗浄槽２の前端部に設け、凹部５２を本体ケーシング１の洗浄槽挿脱用開口Ａの開口縁部に設けたが、逆に、凸部４１を本体ケーシング１の洗浄槽挿脱用開口Ａの開口縁部に設け、凹部５２を洗浄槽２の前端部に設けても良い。
この場合は、洗浄槽２の前端部に、洗浄槽挿脱用開口Ａの内外方向の外方に突出する張り出し部を設け、その張り出し部の後端部に、凹部５２を、洗浄槽挿脱用開口Ａの内外方向の内方側及び本体ケーシング１の前後方向の前方側に引っ込む形態で設ける。また、本体ケーシング１の洗浄槽挿脱用開口Ａの開口縁部に、凸部４１を洗浄槽挿脱用開口Ａの内外方向の内方側に突出する形態で設ける。
【０１１５】
（ニ）  洗浄槽位置決め機構Ｈにおける位置決め作用部Ｈｗの具体構成は、上記の実施形態において説明した構成、すなわち、洗浄槽２の前端部に設けた凸部４１と本体ケーシング１の洗浄槽挿脱用開口Ａの開口縁部に設けた凹部５２とを備えた構成に限定されるものではない。
例えば、本体ケーシング１の洗浄槽挿脱用開口Ａの開口縁部における上下及び左右の夫々に、洗浄槽前後幅方向の後方側ほど洗浄槽挿脱用開口Ａの内外方向の内方側に位置する本体ケーシング側テーパ面を設け、洗浄槽２の前端部における上下及び左右の夫々の端部に、各本体ケーシング側テーパ面に対応する洗浄槽側テーパ面を設ける。そして、本体ケーシング１の洗浄槽挿脱用開口Ａの開口縁部における４面の本体ケーシング側テーパ面と、洗浄槽２の前端部における４面の洗浄槽側テーパ面とにより、位置決め作用部Ｈｗを構成する。
【０１１６】
（ホ）  洗浄槽位置決め機構Ｈの複数の位置決め作用部Ｈｗにおける洗浄槽挿脱用開口Ａの開口縁部での配置形態は、上記の実施形態において例示した配置形態、すなわち、洗浄槽挿脱用開口Ａにおける洗浄槽横幅方向の両端縁部夫々に洗浄槽上下幅方向に複数並ぶ配置形態に限定されるものではない。例えば、洗浄槽挿脱用開口Ａにおける洗浄槽上下幅方向の両端縁部夫々に、洗浄槽横幅方向に複数並ぶ配置形態や、洗浄槽挿脱用開口Ａにおける四方の端縁部夫々に１個ずつ設ける配置形態を採用することができる。
【符号の説明】
【０１１７】
１      本体ケーシング
２      洗浄槽
３      扉体
４１    凸部
５０Ｌ  左方開口縁部材（開口縁部材）
５０Ｒ  右方開口縁部材（開口縁部材）
５２    凹部
Ａ      洗浄槽挿脱用開口
Ｈ      洗浄槽位置決め機構
Ｈｗ    位置決め作用部
Ｐ      扉体装着位置調節機構
【図１】
2014158568.tif 000003
【図２】
2014158568.tif 000004
【図３】
2014158568.tif 000005
【図４】
2014158568.tif 000006
【図５】
2014158568.tif 000007
【図６】
2014158568.tif 000008
【図７】
2014158568.tif 000009
【図８】
2014158568.tif 000010
【図９】
2014158568.tif 000011
【図１０】
2014158568.tif 000012
【図１１】
2014158568.tif 000013
【図１２】
2014158568.tif 000014
【図１３】
2014158568.tif 000015
【図１４】
2014158568.tif 000016
【図１５】
2014158568.tif 000017
【図１６】
2014158568.tif 000018
【図１７】
2014158568.tif 000019
【図１８】
2014158568.tif 000020
【図１９】
2014158568.tif 000021
【図２０】
2014158568.tif 000022
【図２１】
2014158568.tif 000023
【図２２】
2014158568.tif 000024
【図２３】
2014158568.tif 000025
【図２４】
2014158568.tif 000026
【図２５】
2014158568.tif 000027